(57)【要約】【課題】医療業務支援システムのセッティング作業を効率化する技術を提供する。【解決手段】フェーズ／アドレスリスト生成部３２２は端末装置４０の台数を、端末装置４０が使用される医療業務のフェーズごとに規定した端末リストと、医療施設内のネットワーク２で使用可能なアドレスをもとに、各フェーズに、各フェーズで使用されるべき端末装置の台数に応じた数のアドレスを対応付けてフェーズ／アドレスリストを生成する。端末情報取得部３２３は、端末装置４０のセッティング時に当該端末装置４０から、その操作者により指定された当該端末装置４０が使用されるフェーズを含む端末情報をネットワーク２を介して取得する。アドレス付与部３２５は、フェーズ／アドレスリストを参照して、端末装置４０から取得されたフェーズに対応付けられている未使用のアドレスを付与する。【選択図】図２
2016099956.tif 000002
【特許請求の範囲】
【請求項１】
医療施設に設置されるべき医療業務支援装置であって、
前記医療施設内のネットワークで使用可能なアドレスをもとに、端末装置ごとに使用されるフェーズと、アドレスを対応づけてフェーズ／アドレスリストを生成するフェーズ／アドレスリスト生成部と、
生成されたフェーズ／アドレスリストを記憶するフェーズ／アドレスリスト記憶部と、
端末装置のセッティング時に当該端末装置から、その操作者により指定された当該端末装置が使用されるフェーズを含む端末情報をネットワークを介して取得する端末情報取得部と、
前記フェーズ／アドレスリストを参照して、前記端末情報に含まれるフェーズに対応付けられている未使用のアドレスを付与するアドレス付与部と、
を備えることを特徴とする医療業務支援装置。
【請求項２】
前記アドレス付与部は、前記フェーズ／アドレスリストに、端末装置から取得されたフェーズに対応付けられている未使用のアドレスが存在しない場合、前記端末装置へのアドレス付与を拒否することを特徴とする請求項１に記載の医療業務支援装置。
【請求項３】
各フェーズで使用される端末装置の初期設定情報を記憶している端末初期設定情報記憶部と、
前記端末初期設定情報記憶部を参照して、端末装置から取得されたフェーズに対応する初期設定情報を当該端末装置に提供する初期設定情報提供部と、
をさらに備えることを特徴とする請求項１または２に記載の医療業務支援装置。
【請求項４】
前記フェーズ／アドレスリストの各フェーズに対応付けられているアドレスの状態を管理するフェーズ／アドレスリスト管理部をさらに備え、
前記医療業務支援装置により管理されるべき端末装置のいずれかが代用機に置き換えられる際、前記端末情報取得部は、当該代用機から、その操作者により指定された当該代用機が使用されるフェーズと代用機であることを示す情報を含む端末情報をネットワークを介して取得し、
前記フェーズ／アドレスリスト管理部は、当該取得された端末情報に係るアドレスの使用状況を代用機使用中に更新することを特徴とする請求項１から３のいずれかに記載の医療業務支援装置。
【請求項５】
前記フェーズ／アドレスリスト生成部は、前記端末装置ごとに使用されるフェーズ及び部屋と、アドレスを対応づけてフェーズ／アドレスリストを生成し、
前記端末情報取得部は、端末装置のセッティング時に当該端末装置から、その操作者により指定された当該端末装置が使用されるフェーズ及び当該端末装置が設置された部屋を含む端末情報をネットワークを介して取得し、
前記アドレス付与部は、取得されたフェーズ及び部屋に対応付けられている未使用のアドレスを付与することを特徴とする請求項１から４のいずれかに記載の医療業務支援装置。
【請求項６】
医療施設に設置されるべき、医療業務支援装置および端末装置を備える医療業務支援システムであって、
前記医療業務支援装置は、
前記医療施設内において前記医療業務支援装置により管理されるべき端末装置の台数を、端末装置が使用される医療業務のフェーズごとに規定した端末リストと、前記医療施設内のネットワークで使用可能なアドレスをもとに、各フェーズに、各フェーズで使用されるべき端末装置の台数に応じた数のアドレスを対応付けてフェーズ／アドレスリストを生成するフェーズ／アドレスリスト生成部と、
生成されたフェーズ／アドレスリストを記憶するフェーズ／アドレスリスト記憶部と、
端末装置のセッティング時に当該端末装置から、その操作者により指定された当該端末装置が使用されるフェーズを含む端末情報をネットワークを介して取得する端末情報取得部と、
前記フェーズ／アドレスリストを参照して、端末装置から取得されたフェーズに対応付けられている未使用のアドレスを付与するアドレス付与部と、を有し、
前記端末装置は、
操作者により指定された当該端末装置が使用されるフェーズを含む端末情報をネットワークにブロードキャストする端末情報提供部と、
前記医療業務支援装置からアドレスを取得するアドレス取得部と、
を備えることを特徴とする医療業務支援システム。
【発明の詳細な説明】
【技術分野】
【０００１】
本発明は、内視鏡業務などの医療業務を支援する医療業務支援装置、医療業務支援システムに関する。
【背景技術】
【０００２】
内視鏡検査では、受付→問診→前処置→検査→リカバリ→内視鏡洗浄→レポート作成とフェーズが進んでいく。内視鏡部門に構築される内視鏡業務支援システムでは、フェーズごとにカスタマイズされた複数の端末装置が使用される。内視鏡業務支援システムの納入時においてシステム業者の作業者は、サーバと複数の端末装置をＬＡＮ接続し、各装置を初期設定する必要がある。
【先行技術文献】
【特許文献】
【０００３】
【特許文献１】特開２０１０−１８７４０６号公報
【特許文献２】特開２０１１−１３５４５３号公報
【発明の概要】
【発明が解決しようとする課題】
【０００４】
これまで作業者は各端末装置に、医療施設から事前に渡されたＩＰアドレスを手入力してネットワークに接続していた。ＤＨＣＰといった自動でＩＰアドレスを割り当てる方法も考えられるが、医療施設によってはＤＨＣＰサーバを備えていないところがある。また医療施設によっては管理において機材を特定するために機材とＩＰアドレスを紐付けて管理している場合もある。またセッティングの際、作業者は、各端末装置のオペレーティングシステム（ＯＳ）等の初期設定を手動で行っていた。従って納入時のセッティング作業に時間がかかっていた。また作業者の入力ミスにより、同じＩＰアドレスが複数の端末装置に重複して入力されてしまうこともあった。このような人為的ミスが発生すると新たな確認作業が必要となり、全体の作業時間を延長させる要因となる。
【０００５】
本発明はこうした状況に鑑みなされたものであり、その目的は、医療業務支援システムのセッティング作業を効率化する技術を提供することにある。
【課題を解決するための手段】
【０００６】
上記課題を解決するために、本発明のある態様の医療業務支援装置は、医療施設に設置されるべき医療業務支援装置であって、前記医療施設内のネットワークで使用可能なアドレスをもとに、端末装置ごとに使用されるフェーズと、アドレスを対応づけてフェーズ／アドレスリストを生成するフェーズ／アドレスリスト生成部と、生成されたフェーズ／アドレスリストを記憶するフェーズ／アドレスリスト記憶部と、端末装置のセッティング時に当該端末装置から、その操作者により指定された当該端末装置が使用されるフェーズを含む端末情報をネットワークを介して取得する端末情報取得部と、前記フェーズ／アドレスリストを参照して、前記端末情報に含まれるフェーズに対応付けられている未使用のアドレスを付与するアドレス付与部と、を備える。
【０００７】
本発明の別の態様は、医療業務支援システムである。この医療業務支援システムは、医療施設に設置されるべき、医療業務支援装置および端末装置を備える医療業務支援システムであって、前記医療業務支援装置は、前記医療施設内において前記医療業務支援装置により管理されるべき端末装置の台数を、端末装置が使用される医療業務のフェーズごとに規定した端末リストと、前記医療施設内のネットワークで使用可能なアドレスをもとに、各フェーズに、各フェーズで使用されるべき端末装置の台数に応じた数のアドレスを対応付けてフェーズ／アドレスリストを生成するフェーズ／アドレスリスト生成部と、生成されたフェーズ／アドレスリストを記憶するフェーズ／アドレスリスト記憶部と、端末装置のセッティング時に当該端末装置から、その操作者により指定された当該端末装置が使用されるフェーズを含む端末情報をネットワークを介して取得する端末情報取得部と、前記フェーズ／アドレスリストを参照して、端末装置から取得されたフェーズに対応付けられている未使用のアドレスを付与するアドレス付与部と、を有する。前記端末装置は、操作者により指定された当該端末装置が使用されるフェーズを含む端末情報をネットワークにブロードキャストする端末情報提供部と、前記医療業務支援装置からアドレスを取得するアドレス取得部と、を備える。
【０００８】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００９】
本発明によれば、医療業務支援システムのセッティング作業を効率化できる。
【図面の簡単な説明】
【００１０】
【図１】本発明の実施の形態に係る内視鏡業務支援システムの構成を示す図である。
【図２】本発明の実施の形態に係る内視鏡業務支援装置及び端末装置の内部構成を示す図である。
【図３】端末リストの一例を示す図である。
【図４】フェーズ／アドレスリストの一例を示す図である。
【図５】端末情報入力画面の一例を示す図である。
【図６】本発明の実施の形態に係る内視鏡業務支援システムの初期設定動作を示すフローチャートである。
【図７】図７（ａ）−（ｂ）は、図４のフェーズ／アドレスリストの初期設定完了後の状態を示す図である。
【発明を実施するための形態】
【００１１】
図１は、本発明の実施の形態に係る内視鏡業務支援システム１の構成を示す図である。内視鏡業務支援システム１は内視鏡部門に設置され、内視鏡業務を支援するためのシステムである。内視鏡業務支援システム１は、複数の内視鏡システム１０ａ、１０ｂ、・・・（以下、特に区別しない場合には「内視鏡システム１０」とよぶ）、内視鏡業務支援装置３０、複数の端末装置４０ａ、４０ｂ、・・・（以下、特に区別しない場合には「端末装置４０」とよぶ）、洗浄装置５０を備え、それらはＬＡＮなどのネットワーク２によって相互接続される。
【００１２】
内視鏡業務支援システム１は医療施設内の別のシステムと連携が可能である。例えばネットワーク２に図示しないゲートウェイ装置が接続され、このゲートウェイ装置を介して内視鏡業務支援システム１は、オーダリングシステム、電子カルテシステム、レセプトシステム等と連携可能である。
【００１３】
内視鏡システム１０は内視鏡スコープ１１、内視鏡処理装置１２及び表示装置１３を備える。内視鏡スコープ１１は患者の体内に挿入され、医師が内視鏡スコープ１１のレリーズスイッチを押したタイミングで体内を撮像する。内視鏡スコープ１１は固体撮像素子（例えばＣＣＤイメージセンサ、ＣＭＤイメージセンサまたはＣＭＯＳイメージセンサ）及び信号処理回路を備える。固体撮像素子は入射光を電気信号に変換し、信号処理回路は、固体撮像素子により光電変換された画像データに対してＡ／Ｄ変換、ノイズ除去などの信号処理を施して内視鏡処理装置１２に出力する。
【００１４】
内視鏡処理装置１２は、内視鏡スコープ１１により撮像された画像を取得する。内視鏡処理装置１２は、取得した画像を表示装置１３に出力して表示装置１３に表示させる。また内視鏡処理装置１２は、内視鏡スコープ１１から取得した画像を内視鏡業務支援装置３０に送信して、内視鏡業務支援装置３０内に記録する。
【００１５】
内視鏡業務支援装置３０は内視鏡業務支援システム１全体を統括的に制御する。内視鏡業務支援装置３０は例えば、サーバで構成される。端末装置４０は医師、看護師など医療従事者が使用する端末装置であり、例えばＰＣで構成される。洗浄装置５０は、検査や処置で使用済みの内視鏡スコープ１１を洗浄および消毒するための装置である。
【００１６】
内視鏡業務支援装置３０は、内視鏡システム１０から送信されてきた内視鏡画像データを受け取り蓄積する。また内視鏡業務支援装置３０は、ネットワーク２に接続された端末装置４０からの操作に従い、内視鏡業務に関連する各種のアプリケーションプログラムを実行し、端末装置４０のユーザが行う業務を支援する。例えば検査レポート作成支援プログラムを実行して、医師による検査レポートの作成を支援する。医師が端末装置４０を操作して検査レポートの入力を行うと、内視鏡業務支援装置３０は端末装置４０から送信されてきた検査レポートを受け取り蓄積する。また内視鏡業務支援装置３０は洗浄装置５０へ洗浄情報の問い合わせを行い、洗浄装置５０からの応答情報を蓄積する。
【００１７】
本実施の形態では、ある医療施設の内視鏡部門に、あるシステム業者が内視鏡業務支援システム１を構成する内視鏡業務支援装置３０、端末装置４０、内視鏡システム１０及び洗浄装置５０を納品し、それらをセットアップする場面を想定する。内視鏡業務支援システム１のセットアップは、（１）事前に作業者が内視鏡業務支援装置３０に対して行う作業、（２）事前に内視鏡業務支援装置３０が自動で行う作業、（３）納品時に作業者が端末装置４０に対して行う作業、（４）納品時に内視鏡業務支援装置３０と端末装置４０が自動で行う作業の順で進む。これまでのセットアップでは、（３）納品時に作業者が端末装置４０に対して行う作業が多かったが、本実施の形態に係るセットアップでは、この作業を減らし、（４）納品時に内視鏡業務支援装置３０と端末装置４０が自動で行う作業を増やす。これにより作業者の手間とミスを減らすことができる。
【００１８】
なお内視鏡システム１０及び洗浄装置５０は専用の機器であり、主にＰＣで構成される端末装置４０と異なり、セットアップ作業は少ない。基本的にネットワーク２と接続し、電源を投入すれば、ほぼ自動でセットアップされるため、以下の説明では言及しない。
【００１９】
図２は、本発明の実施の形態に係る内視鏡業務支援装置３０及び端末装置４０の内部構成を示す図である。内視鏡業務支援装置３０は通信部３１、制御部３２及び記憶部３３を備える。制御部３２は端末リスト生成部３２１、フェーズ／アドレスリスト生成部３２２、端末情報取得部３２３、フェーズ／アドレスリスト管理部３２４、アドレス付与部３２５及び初期設定情報提供部３２６を含む。なお、制御部３２には、本実施の形態にて注目する処理に関連する機能ブロックのみを描いている。
【００２０】
制御部３２の機能はハードウェア資源とソフトウェア資源の協働により実現できる。ハードウェア資源としてプロセッサ、ＲＯＭ、ＲＡＭ、その他のＬＳＩを利用できる。ソフトウェア資源としてオペレーティングシステム、アプリケーション等のプログラムを利用できる。
【００２１】
記憶部３３はＨＤＤ、ＳＳＤ等の記録媒体を備え、端末リスト記憶部３３１、フェーズ／アドレスリスト記憶部３３２及び端末初期設定情報記憶部３３３を含む。なお、記憶部３３にも、本実施の形態にて注目する処理に関連する機能ブロックのみを描いている。
【００２２】
端末装置４０は通信部４１、制御部４２、記憶部４３、表示部４４及び操作入力部４５を備える。なお、制御部４２は端末情報設定・提供部４２１、アドレス取得部４２２及び初期設定情報取得部４２３を含む。制御部４２にも、本実施の形態にて注目する処理に関連する機能ブロックのみを描いている。記憶部４３は端末設定情報記憶部４３１を含む。なお、記憶部４３にも、本実施の形態にて注目する処理に関連する機能ブロックのみを描いている。以下、図１〜図２を参照しながら具体的に説明する。
【００２３】
まず、（１）事前に作業者が内視鏡業務支援装置３０に対して行う作業を説明する。作業者は、内視鏡業務支援装置３０に接続されたコンソール端末から、内視鏡業務支援システム１を構築すべき医療施設内において内視鏡業務支援装置３０により管理されるべき端末装置４０の台数を、端末装置４０が使用される内視鏡検査のフェーズごとに入力する。各フェーズで使用される端末装置４０の台数は、当該医療施設と納入するシステム業者との間の事前の契約により決定される。端末装置４０はフェーズにより、使用できる機能やユーザインタフェースがカスタマイズされる。例えば、受付フェーズの端末装置４０は、レポート作成機能がオフにされている。
【００２４】
内視鏡業務支援装置３０の端末リスト生成部３２１は、入力された内視鏡業務支援装置３０により管理されるべき端末装置４０の台数を、端末装置４０が使用される内視鏡検査のフェーズごとに規定した端末リストを生成する。端末リスト生成部３２１は、生成した端末リストを端末リスト記憶部３３１に記憶する。
【００２５】
図３は、端末リスト３３１ａの一例を示す図である。端末リスト３３１ａは、フェーズ名、部屋名、端末の台数を含む。部屋名は検査室のように、同一フェーズの中でさらに分ける場合に指定される。受付フェーズの２台の端末装置４０はいずれもナースステーションに設置され、その２台の端末装置４０を区分する必要がないため、部屋名が空欄になっている。
【００２６】
また作業者は、内視鏡業務支援装置３０に接続されたコンソール端末から、端末装置４０の初期設定情報を入力する。入力された端末装置４０の初期設定情報は、端末初期設定情報記憶部３３３に記憶される。端末装置４０の初期設定情報には例えば、使用できる機能、ユーザインタフェースのカスタマイズ情報、内視鏡業務支援装置３０のＩＰアドレス、時刻サーバの有無、タイムゾーン、医療施設が定めたＯＳ設定が含まれる。時刻サーバがある場合は当該時刻サーバのアドレスも含まれる。タイムゾーンは国の中で時差が発生する場合に設定する必要があり、時差がない場合は設定する必要がない。医療施設が定めたＯＳ設定には例えば、スクリーンロックやスクリーンセーバーの設定などが含まれる。
【００２７】
なおＯＳ設定は、端末装置４０の使用されるフェーズごとにカスタマイズされてもよい。例えば、各フェーズで扱われるデータの内容、及び画面が患者の目に触れる可能性を考慮して、スクリーンロックされるまでの時間、スクリーンロック解除にパスワード入力を求めるか、といった各設定がフェーズごとにカスタマイズされてもよい。
【００２８】
次に、（２）事前に内視鏡業務支援装置３０が自動で行う作業を説明する。システム業者は、納入した内視鏡業務支援装置３０を医療施設のネットワーク２に接続する。内視鏡業務支援装置３０のフェーズ／アドレスリスト生成部３２２は、医療施設のネットワーク設定情報を保持する機器（例えば、医療施設全体のネットワークを管理するサーバ）から、医療施設のネットワーク情報を取得する。当該ネットワーク情報には、使用可能なＩＰアドレスの範囲（例えば192.168.1.1〜192.168.1.250）、サブネットマスク、ＤＮＳサーバのアドレス（例えば、192.168.1.250）が含まれる。
【００２９】
なお、医療施設のネットワーク設定情報を保持する機器からネットワーク情報を取得する代わりに、フェーズ／アドレスリスト記憶部３３２は医療施設のネットワーク情報をファイルで保持してもよいし、作業者の入力によって取得してもよい。
【００３０】
フェーズ／アドレスリスト生成部３２２は、医療施設のネットワーク２で既に使用されているＩＰアドレスを検索し、使用中のアドレス一覧を作成する。例えば全てのＩＰアドレスにｐｉｎｇを送り、返答の無いアドレスは未使用、返答があるアドレスは使用中と判断する。以下の説明では次のＩＰアドレスが使用中であるとする。「192.168.1.1」、「192.168.1.3」、「192.168.1.250」。
【００３１】
フェーズ／アドレスリスト生成部３２２は、端末リスト記憶部３３１から端末リストを取得する。フェーズ／アドレスリスト生成部３２２は取得した端末リストと、取得した使用可能なＩＰアドレスの範囲をもとに、フェーズとＩＰアドレスを含むネットワーク情報を対応付けたフェーズ／アドレスリストを生成する。より具体的にはフェーズ／アドレスリスト生成部３２２は、ネットワーク２で使用可能なＩＰアドレスをもとに、端末装置４０ごとに使用されるフェーズ、設置される部屋名、ＩＰアドレスを含むネットワーク情報を対応付けてフェーズ／アドレスリストを生成する。その際、ネットワーク２で既に使用されているＩＰアドレスは除外する。フェーズ／アドレスリスト生成部３２２は、生成したフェーズ／アドレスリストをフェーズ／アドレスリスト記憶部３３２に記憶する。
【００３２】
図４は、フェーズ／アドレスリスト３３２ａの一例を示す図である。フェーズ／アドレスリスト３３２ａは、フェーズ名、部屋名、ＩＰアドレス、ＩＰアドレスの使用状況、医療施設のネットワーク情報を含む。ＩＰアドレスの使用状況は、ＩＰアドレスが使用されているか否かを示すステータスを示し、初期状態では未使用に設定される。医療施設のネットワーク情報にはサブネットマスク、ＤＮＳサーバのアドレス等が含まれる。
【００３３】
次に、（３）納品時に作業者が端末装置４０に対して行う作業を説明する。端末装置４０のセッティング時においてシステム業者の作業者は、納入した端末装置４０を医療施設のネットワーク２に接続する。作業者は、端末装置４０の操作入力部４５から端末情報を入力する。端末情報にはフェーズ名、部屋名が含まれる。フェーズ名は必須入力項目であり、部屋名は省略可能である。端末情報設定・提供部４２１は、入力された端末情報を端末設定情報記憶部４３１に設定記憶する。
【００３４】
図５は、端末情報入力画面４４ａの一例を示す図である。初期納品時には作業者は「新規」、「代品」、「交換」の内、「新規」のラジオボタン４４ｂを選択する。次にフェーズ名、部屋名をそれぞれ選択し、登録ボタンを押下する。これにより端末装置４０に、フェーズ名、設置する部屋名が設定される。
【００３５】
次に、（４）納品時に内視鏡業務支援装置３０と端末装置４０が自動で行う作業を説明する。端末情報設定・提供部４２１は、フェーズ名、部屋名を含む端末状態を初期設定情報要求信号としてネットワーク２内の全ての機器・端末装置にブロードキャスト送信する。なお部屋名が設定されていない場合、初期設定情報要求信号に部屋名は含まれない。
【００３６】
内視鏡業務支援装置３０の端末情報取得部３２３は端末装置４０から、その操作者である作業者により指定されたフェーズ名を含む端末情報を初期設定情報要求信号としてネットワーク２を介して取得する。アドレス付与部３２５は、フェーズ／アドレスリスト記憶部３３２に記憶されているフェーズ／アドレスリストを参照して、端末装置４０から取得されたフェーズに対応付けられている未使用のＩＰアドレスを選択する。具体的には端末情報からフェーズ名および部屋名を抽出し、フェーズ／アドレスリスト内のフェーズ名および部屋名と一致し、かつＩＰアドレスが未使用のデータ（レコード）を選択する。アドレス付与部３２５は、選択したデータのネットワーク情報を取得し、初期設定情報要求信号を送信してきた端末装置４０に返信する。
【００３７】
初期設定情報提供部３２６は、端末初期設定情報記憶部３３３を参照して、初期設定情報要求信号を送信してきた端末装置４０から取得されたフェーズに対応する初期設定情報を決定する。初期設定情報提供部３２６は、決定した初期設定情報を端末初期設定情報記憶部３３３から取得し、当該端末装置４０に返信して提供する。
【００３８】
端末装置４０のアドレス取得部４２２は、内視鏡業務支援装置３０からＩＰアドレスを含むネットワーク情報を受信する。アドレス取得部４２２は、受信したＩＰアドレスを含むネットワーク情報を端末設定情報記憶部４３１に設定記憶する。初期設定情報取得部４２３は、内視鏡業務支援装置３０から端末装置４０の初期設定情報を受信する。初期設定情報取得部４２３は、受信した初期設定情報を端末設定情報記憶部４３１に設定記憶する。端末情報設定・提供部４２１は、当該初期設定情報をもとにＯＳ等の各種設定を行う。
【００３９】
ＩＰアドレスが端末設定情報記憶部４３１に設定された後、端末情報設定・提供部４２１は、端末設定情報記憶部４３１内のＩＰアドレスの使用状況を設定済みに更新する。ステータスを更新後、端末情報設定・提供部４２１は初期設定完了通知をネットワーク２内の全ての機器・端末装置にブロードキャスト送信する。
【００４０】
内視鏡業務支援装置３０のフェーズ／アドレスリスト管理部３２４は、端末装置４０から初期設定完了通知を受信すると、フェーズ／アドレスリストにおいて、初期設定完了通知を送信してきた端末装置４０のＩＰアドレスと一致するデータを特定し、そのデータのＩＰアドレスの使用状況を使用中に更新する。
【００４１】
以上の説明においてアドレス付与部３２５は、フェーズ／アドレスリストに、端末装置４０から取得されたフェーズに対応付けられている未使用のＩＰアドレスが存在しない場合、当該端末装置４０へのアドレス付与を拒否する。例えば、フェーズ名＝受付の端末情報を送信したきた端末装置４０が３台目である場合、未使用のＩＰアドレスが存在しないためＩＰアドレスを付与せず、エラーメッセージを返信する。
【００４２】
システム業者はソフトウェアのライセンス料を、使用する端末装置の台数に応じて決定している場合が多い。医療施設側でシステム業者に無断で各フェーズの契約台数を超えて、端末装置４０を接続した場合、システム業者にとってその端末装置４０の使用をシステム的に禁止できることが望ましい。またシステム業者側で把握できていない端末装置４０が接続された場合、その端末装置４０の保守管理が困難になる。
【００４３】
図６は、本発明の実施の形態に係る内視鏡業務支援システム１の初期設定動作を示すフローチャートである。内視鏡業務支援装置３０の端末リスト生成部３２１は、端末装置４０が使用される内視鏡検査のフェーズごとに端末装置４０の台数を規定した端末リストを生成する（Ｓ１０）。フェーズ／アドレスリスト生成部３２２は、内視鏡業務支援システム１を納入する医療施設のネットワーク情報を取得する（Ｓ１１）。フェーズ／アドレスリスト生成部３２２は、当該医療施設で既に使用されているＩＰアドレスの一覧を作成する（Ｓ１２）。
【００４４】
端末装置４０の端末情報設定・提供部４２１は、作業者により入力されたフェーズ名を含む端末情報を受け付ける（Ｓ２０）。端末情報設定・提供部４２１は、フェーズ名を含む端末情報をネットワーク２にブロードキャストする（Ｓ２１）。内視鏡業務支援装置３０の端末情報取得部３２３は、ブロードキャストされた端末情報を受信する（Ｓ１３）。アドレス付与部３２５は受信したフェーズに対応するＩＰアドレスを含むネットワーク情報を選択し、初期設定情報提供部３２６は受信したフェーズに対応する端末装置４０の初期設定情報を決定する（Ｓ１４）。アドレス付与部３２５及び初期設定情報提供部３２６は、選択したＩＰアドレスを含むネットワーク情報、及び初期設定情報を返信する（Ｓ１５）。
【００４５】
端末装置４０のアドレス取得部４２２及び初期設定情報取得部４２３は、ＩＰアドレスを含むネットワーク情報、及び初期設定情報を受信する（Ｓ２２）。端末情報設定・提供部４２１は、ＩＰアドレスを設定後、初期設定完了通知を送信する（Ｓ２３）。内視鏡業務支援装置３０のフェーズ／アドレスリスト管理部３２４は、初期設定完了通知を受信する（Ｓ１６）。フェーズ／アドレスリスト管理部３２４は、ステップＳ１４で決定したＩＰアドレスの使用状況を未使用から使用中に更新する（Ｓ１７）。
【００４６】
内視鏡業務支援システム１では、検査オーダに、当該検査において内視鏡スコープ１１により撮影された内視鏡画像、当該検査で使用された内視鏡スコープ１１の洗浄情報など、当該検査に関する情報が紐付けられていく。これらの紐付けは、各端末装置４０のＩＰアドレスを基準に行われる。従って一度設置した端末装置４０のＩＰアドレスは固定される必要がある。また原則として設置場所も変更すべきではない。例えば、検査室１に設置された端末装置４０を検査室２に移動させた場合、その端末装置４０のデータは検査室１に設置された内視鏡システム１０のデータと紐付いてしまう。
【００４７】
従って端末装置４０が故障した場合、紐付けに齟齬が発生しない仕組みが必要となる。以下、ある端末装置４０が故障し、その端末装置４０の修理中に代用機を使用する例を説明する。システム業者の作業者は、故障した端末装置４０をネットワーク２から外し、代用機をネットワーク２に接続することにより、故障した端末装置４０を代用機に置き換える。作業者は、代用機の画面に表示される図５に示した入力画面４４ａにおいて「代品」を選択する。続いて、故障機と同じフェーズ名、部屋名を選択し、登録ボタンを押下する。
【００４８】
代品機の端末情報設定・提供部４２１は、作業者により指定された当該代用機が使用されるフェーズ名、部屋名、代用機であること示す情報（代用機情報）を含む端末情報をネットワーク２を介して送信する。内視鏡業務支援装置３０の端末情報取得部３２３は当該代用機から、当該端末情報をネットワーク２を介して受信する。フェーズ／アドレスリスト管理部３２４は、当該端末情報に係るＩＰアドレスの使用状況を代用機使用中に更新する。この状態になると代用機が使用可能になる。
【００４９】
図７（ａ）−（ｂ）は、図４のフェーズ／アドレスリスト３３２ａの初期設定完了後の状態を示す図である。図７（ａ）は代用機が使用されていない場合のフェーズ／アドレスリスト３３２ａの状態を示しており、図７（ｂ）は検査室１に設置された端末装置４０が故障して代用機が使用されている場合のフェーズ／アドレスリスト３３２ａの状態を示している。
【００５０】
故障した端末装置４０の修理が完了すると、システム業者の作業者は代用機をネットワーク２から外し、修理後の端末装置４０をネットワーク２に接続する。また修理が不可能であった場合、代用機をネットワーク２から外し、新しい端末装置４０をネットワーク２に接続する。作業者は、端末装置４０に表示される図５に示した入力画面４４ａにおいて「交換」を選択する。続いて、代用機と同じフェーズ名、部屋名を選択し、登録ボタンを押下する。
【００５１】
端末装置４０の端末情報設定・提供部４２１は、作業者により指定された当該端末装置４０が使用されるフェーズ、交換後の端末装置４０であることを示す情報を含む端末情報をネットワーク２を介して送信する。内視鏡業務支援装置３０の端末情報取得部３２３は当該端末装置４０から、当該端末情報をネットワーク２を介して受信する。フェーズ／アドレスリスト管理部３２４は、当該端末情報に係るＩＰアドレスの使用状況を代用機使用中から使用中に更新する。この状態になると交換後の端末装置４０が使用可能になる。
【００５２】
なお故障した端末装置４０が故障を自動で判別できる場合、故障をユーザに通知し、ユーザが内視鏡業務支援装置３０上でＩＰアドレスの使用状況を使用中から故障に変更しても良い。また、故障した端末装置４０がネットワーク通信可能な場合、故障した端末装置４０自身が内視鏡業務支援装置３０へ自動的に故障ステータスを送信し、内視鏡業務支援装置３０がそのステータスを受信して、ＩＰアドレスの使用状況を故障に変更しても良い。
【００５３】
また入力画面４４ａにおいて「代品」で登録する際、フェーズ／アドレスリストの中で、選択した「フェーズ名」、「部屋名」に該当するデータの使用状況が「故障」であることをシステムで自動的にチェックしても良い。チェックした際に、使用状況が「使用中」である場合、「置き換えてもよいですか？」といったメッセージでユーザに確認を促しても良い。
【００５４】
また入力画面４４ａにおいて「代品」で登録する際、フェーズ／アドレスリストの中で、選択した「フェーズ名」、「部屋名」に該当するデータのＩＰアドレスが、現在ネットワーク２上で使用されていないことを内視鏡業務支援装置３０で自動的にチェックしても良い。例えば、pingコマンドを送信してチェックできる。チェックの結果、当該ＩＰアドレスがネットワーク２上で使用されている場合、「フェーズ○○の端末は現在起動中です。代品交換の場合は、端末の電源を落として下さい。」といったメッセージでユーザに確認を促しても良い。
【００５５】
以上説明したように本実施の形態によれば、事前に内視鏡業務支援装置３０内にフェーズ／アドレスリストを生成することにより、作業者が端末装置４０にフェーズ名を入力するだけで自動的に初期設定できる。従って内視鏡業務支援システム１のセッティング作業を効率化できる。即ち作業者の負担を軽減でき、ミスの発生を抑制できる。また、フェーズごとに端末装置の台数を管理することにより、ソフトウェアのライセンスを適切に管理できる。また、代用機を使用している場合でも同じＩＰアドレスを使用し続けることにより、紐付けの齟齬を防止できる。
【００５６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５７】
上述の実施の形態ではＩＰアドレス及びネットワーク情報に加えて、端末装置４０の初期設定情報も事前に内視鏡業務支援装置３０に記憶しておき、端末装置４０からアクセスがあったときに端末装置４０の初期設定情報をアクセス元の端末装置４０に送信する例を示した。この点、端末装置４０の初期設定情報は作業者に手動で設置させ、ＩＰアドレス及びネットワーク情報のみを送信してもよい。
【００５８】
また上述の実施の形態では内視鏡業務支援システム１を説明したが、内視鏡部門以外の部門の医療業務支援システムにも、フェーズ／アドレスリストを用いた初期設定技術を適用可能である。
【符号の説明】
【００５９】
１  内視鏡業務支援システム、  ２  ネットワーク、  １０  内視鏡システム、  １１  内視鏡スコープ、  １２  内視鏡処理装置、  １３  表示装置、  ３０  内視鏡業務支援装置、  ３１  通信部、  ３２  制御部、  ３２１  端末リスト生成部、  ３２２  フェーズ／アドレスリスト生成部、  ３２３  端末情報取得部、  ３２４  フェーズ／アドレスリスト管理部、  ３２５  アドレス付与部、  ３２６  初期設定情報提供部、  ３３  記憶部、  ３３１  端末リスト記憶部、  ３３２  フェーズ／アドレスリスト記憶部、  ３３３  端末初期設定情報記憶部、  ４０  端末装置、  ４１  通信部、  ４２  制御部、  ４２１  端末情報設定・提供部、  ４２２  アドレス取得部、  ４２３  初期設定情報取得部、  ４３  記憶部、  ４３１  端末設定情報記憶部、  ４４  表示部、  ４５  操作入力部、  ５０  洗浄装置。
【図１】
2016099956.tif 000003
【図２】
2016099956.tif 000004
【図３】
2016099956.tif 000005
【図４】
2016099956.tif 000006
【図５】
2016099956.tif 000007
【図６】
2016099956.tif 000008
【図７】
2016099956.tif 000009